【手続補正書】
【提出日】平成16年11月16日(2004.11.16)
【手続補正１】
【補正対象書類名】明細書
【補正対象項目名】特許請求の範囲
【補正方法】変更
【補正の内容】
【特許請求の範囲】
【請求項１】
ユーザーにサービスを提供するサービス提供装置であって、
前記ユーザーに提供するサービスに関する操作のための設定データを少なくとも一つ以上記憶する設定データ記憶手段と、
前記ユーザーの識別情報と該ユーザーに対して発行されたパスワードとに基づき該ユーザーの認証を行う認証手段と、
前記設定データ記憶手段内における、前記認証手段により認証されたユーザーが使用可能な設定データを特定する設定データ特定手段と、
前記認証されたユーザーに対し、前記設定データ特定手段が特定した設定データに対する操作許可を与える設定データ操作許可手段と
を有することを特徴とするサービス提供装置。
【請求項２】
前記設定データは個人用設定データと共通設定データとを含み、前記設定データ特定手段は、前記認証手段により認証されたユーザーに対し、前記設定データにおける該ユーザーに対応する個人用設定データを特定し、前記設定データ操作許可手段は、前記設定データ特定手段が特定した個人用設定データと、前記共通設定データとを操作する許可を与えることを特徴とする請求項１記載のサービス提供装置。
【請求項３】
前記パスワードには有効期限が設定されており、
前記パスワードの有効期限が過ぎた場合、該パスワードに対応するユーザーの個人用設定データに含まれる情報を消去する設定データ消去手段を有することを特徴とする請求項２記載のサービス提供装置。
【請求項４】
前記サービスはデータを外部へ送信するデータ送信サービスであり、前記設定データは、送信宛先を含むデータであることを特徴とする請求項１または２記載のサービス提供装置。
【請求項５】
前記設定データ記憶手段は、設定データとして、前記ユーザーに提供するサービス実行時に用いられる付加情報である定型業務用データを記憶することを特徴とする請求項１記載のサービス提供装置。
【請求項６】
前記サービスは、原稿画像を読み取り外部へ送信する送信サービスであり、前記定型業務用データは、原稿画像の読み取りに関する設定データ、送信宛先、タイマー設定の少なくとも１つを含むデータであることを特徴とする請求項５記載のサービス提供装置。
【請求項７】
データを操作可能に蓄積する複数の格納領域を有するボックス手段を有し、前記設定データ特定手段は前記認証手段により認証されたユーザーに対しボックス手段内における操作可能な格納領域を特定し、前記操作許可手段は前記設定データ特定手段が特定した前記格納領域内のデータに対する操作許可を与えることを特徴とする請求項１記載のサービス提供装置。
【請求項８】
前記ボックス内のデータに対する操作は、複製、印刷、送信を含む操作であることを特徴とする請求項７記載のサービス提供装置。
【請求項９】
前記パスワードには有効期限が設定されており、
前記パスワードの有効期限が過ぎると、前記ボックス内の、該パスワードに対応するユーザーに対応する格納領域のデータを消去するボックス消去手段を有することを特徴とする請求項７または８記載のサービス提供装置。
【請求項１０】
ユーザーにサービスを提供するサービス提供装置と、前記ユーザーに付与された識別情報に対応付けられるパスワードを発行するパスワード発行装置とを備え、
前記サービス提供装置は、前記ユーザーに提供するサービスに関する操作のための設定データを少なくとも一つ以上記憶する設定データ記憶手段と、
前記ユーザーの識別情報と該ユーザーに対して発行されたパスワードとに基づき該ユーザーの認証を行う認証手段と、
前記設定データ記憶手段内における、前記認証手段により認証されたユーザーが使用可能な設定データを特定する設定データ特定手段と、
前記認証されたユーザーに対し、前記設定データ特定手段が特定した設定データに対する操作許可を与える設定データ操作許可手段と
を有することを特徴とするサービス提供システム。
【請求項１１】
ユーザーにサービスを提供するサービス提供装置を用いたサービス提供方法であって、
前記ユーザーに付与された識別情報に対応付けられるパスワードを発行する工程と、
前記ユーザーの識別情報と該ユーザーに対して発行されたパスワードとに基づき該ユーザーの認証を行う工程と、
前記ユーザーに提供するサービスに関する操作のための設定データを記憶する設定データ記憶手段内における、前記認証されたユーザーが使用可能な設定データを特定する工程と、
前記認証されたユーザーに対して特定された設定データに対する操作許可を与える工程と
を有することを特徴とするサービス提供方法。
【請求項１２】
ユーザーにサービスを提供するサービス提供装置上で実行されるプログラムであって、
前記ユーザーの識別情報と該ユーザーに対して発行されたパスワードとに基づき該ユーザーの認証を行う認証ステップと、
前記ユーザーに提供するサービスに関する操作のための設定データを記憶する設定データ記憶手段内における、前記認証ステップで認証したユーザーが使用可能な設定データを特定する特定ステップと、
前記認証ステップにより認証されたユーザーに対して前記特定ステップが特定した設定データに対する操作許可を与える設定データ操作許可ステップと
を有することを特徴とするプログラム。
【請求項１３】
ユーザーにサービスを提供するサービス提供装置であって、
前記ユーザーが利用したサービス履歴を保持し、管理する管理手段と、
前記ユーザーの識別情報と該ユーザーに対して発行されたパスワードとに基づき該ユーザーの認証を行う認証手段と、
前記認証手段により認証されたユーザーが利用したサービス履歴を特定し、出力を許可する許可手段と、
前記出力が許可されたサービス履歴を出力する出力手段と
を有することを特徴とするサービス提供装置。
【請求項１４】
前記出力手段は、前記サービス履歴を表示する表示手段であることを特徴とする請求項１３記載のサービス提供装置。
【請求項１５】
前記出力手段は、前記サービス履歴を印刷する印刷手段であることを特徴とする請求項１３記載のサービス提供装置。
【請求項１６】
前記許可手段は、前記認証手段が認証したユーザーが所定の権限を有する場合、前記認証されたユーザー以外のユーザーが利用したサービス履歴の出力を許可することを特徴とする請求項１３ないし１５のいずれか１つに記載のサービス提供装置。
【請求項１７】
前記出力手段は前記サービス履歴の内、前記認証手段による認証を経たユーザーによるサービス履歴を表す文字の少なくとも一部を所定の記号で置き換えて出力することを特徴とする請求項１６記載のサービス提供装置。
【請求項１８】
前記サービスはデータを外部へ送信する通信サービスであり、前記サービス履歴は、送信宛先を含むことを特徴とする請求項１３ないし１７のいずれか１つに記載のサービス提供装置。
【請求項１９】
ユーザーにサービスを提供するサービス提供装置を用いたサービス提供方法であって、
前記ユーザーが利用したサービス履歴を保持し、管理する工程と、
前記ユーザーの識別情報と該ユーザーに対して発行されたパスワードとに基づき該ユーザーの認証を行う工程と、
前記認証されたユーザーが利用したサービス履歴を特定し、該特定したサービス履歴の出力を許可する工程と、
出力手段を介して前記出力が許可したサービス履歴を出力する工程と
を有することを特徴とするサービス提供方法。
【請求項２０】
ユーザーにサービスを提供するサービス提供装置上で実行されるプログラムであって、
前記ユーザーが利用したサービス履歴を保持し、管理する管理ステップと、
前記ユーザーの識別情報と該ユーザーに対して発行されたパスワードとに基づき該ユーザーの認証を行う認証ステップと、
前記認証されたユーザーが利用したサービス履歴を特定し、該特定したサービス履歴の出力を許可する許可ステップと、
出力手段を介して前記出力が許可されたサービス履歴を出力する出力ステップと
を有することを特徴とするプログラム。
【手続補正２】
【補正対象書類名】明細書
【補正対象項目名】００１０
【補正方法】変更
【補正の内容】
【００１０】
本発明の第１の目的は、ユーザーの利便性を損うことなく、サービスを利用するユーザーの個人情報が他のユーザーに漏れることを未然に防止することができるとともに、ユーザーによるサービスの利用頻度を高めることができるサービス提供システム、サービス提供装置、サービス提供方法およびプログラムを提供することにある。
【手続補正３】
【補正対象書類名】明細書
【補正対象項目名】００１１
【補正方法】変更
【補正の内容】
【００１１】
本発明の第２の目的は、サービス履歴からユーザーの個人情報が他のユーザーに漏れることを未然に防止することができるサービス提供装置、サービス提供方法およびプログラムを提供することにある。
【手続補正４】
【補正対象書類名】明細書
【補正対象項目名】００１２
【補正方法】変更
【補正の内容】
【００１２】
【課題を解決するための手段】
本発明は、上記第１の目的を達成するため、ユーザーにサービスを提供するサービス提供装置であって、前記ユーザーに提供するサービスに関する操作のための設定データを少なくとも一つ以上記憶する設定データ記憶手段と、前記ユーザーの識別情報と該ユーザーに対して発行されたパスワードとに基づき該ユーザーの認証を行う認証手段と、前記設定データ記憶手段内における、前記認証手段により認証されたユーザーが使用可能な設定データを特定する設定データ特定手段と、前記認証されたユーザーに対し、前記設定データ特定手段が特定した設定データに対する操作許可を与える設定データ操作許可手段とを有することを特徴とするサービス提供装置を提供する。
【手続補正５】
【補正対象書類名】明細書
【補正対象項目名】００１３
【補正方法】変更
【補正の内容】
【００１３】
本発明は、上記第１の目的を達成するため、ユーザーにサービスを提供するサービス提供装置と、前記ユーザーに付与された識別情報に対応付けられるパスワードを発行するパスワード発行装置とを備え、前記サービス提供装置は、前記ユーザーに提供するサービスに関する操作のための設定データを少なくとも一つ以上記憶する設定データ記憶手段と、前記ユーザーの識別情報と該ユーザーに対して発行されたパスワードとに基づき該ユーザーの認証を行う認証手段と、前記設定データ記憶手段内における、前記認証手段により認証されたユーザーが使用可能な設定データを特定する設定データ特定手段と、前記認証されたユーザーに対し、前記設定データ特定手段が特定した設定データに対する操作許可を与える設定データ操作許可手段とを有することを特徴とするサービス提供システムを提供する。
【手続補正６】
【補正対象書類名】明細書
【補正対象項目名】００１４
【補正方法】変更
【補正の内容】
【００１４】
本発明は、上記第１の目的を達成するため、ユーザーにサービスを提供するサービス提供装置を用いたサービス提供方法であって、前記ユーザーに付与された識別情報に対応付けられるパスワードを発行する工程と、前記ユーザーの識別情報と該ユーザーに対して発行されたパスワードとに基づき該ユーザーの認証を行う工程と、前記ユーザーに提供するサービスに関する操作のための設定データを記憶する設定データ記憶手段内における、前記認証されたユーザーが使用可能な設定データを特定する工程と、前記認証されたユーザーに対して特定された設定データに対する操作許可を与える工程とを有することを特徴とするサービス提供方法を提供する。
【手続補正７】
【補正対象書類名】明細書
【補正対象項目名】００１５
【補正方法】変更
【補正の内容】
【００１５】
本発明は、上記第１の目的を達成するため、ユーザーにサービスを提供するサービス提供装置上で実行されるプログラムであって、前記ユーザーの識別情報と該ユーザーに対して発行されたパスワードとに基づき該ユーザーの認証を行う認証ステップと、前記ユーザーに提供するサービスに関する操作のための設定データを記憶する設定データ記憶手段内における、前記認証ステップで認証したユーザーが使用可能な設定データを特定する特定ステップと、前記認証ステップにより認証されたユーザーに対して前記特定ステップが特定した設定データに対する操作許可を与える設定データ操作許可ステップとを有することを特徴とするプログラムを提供する。
【手続補正８】
【補正対象書類名】明細書
【補正対象項目名】００１６
【補正方法】変更
【補正の内容】
【００１６】
本発明は、上記第２の目的を達成するため、ユーザーにサービスを提供するサービス提供装置であって、前記ユーザーが利用したサービス履歴を保持し、管理する管理手段と、前記ユーザーの識別情報と該ユーザーに対して発行されたパスワードとに基づき該ユーザーの認証を行う認証手段と、前記認証手段により認証されたユーザーが利用したサービス履歴を特定し、出力を許可する許可手段と、前記出力が許可されたサービス履歴を出力する出力手段とを有することを特徴とするサービス提供装置を提供する。
【手続補正９】
【補正対象書類名】明細書
【補正対象項目名】００１７
【補正方法】変更
【補正の内容】
【００１７】
本発明は、上記第２の目的を達成するため、ユーザーにサービスを提供するサービス提供装置を用いたサービス提供方法であって、前記ユーザーが利用したサービス履歴を保持し、管理する工程と、前記ユーザーの識別情報と該ユーザーに対して発行されたパスワードとに基づき該ユーザーの認証を行う工程と、前記認証されたユーザーが利用したサービス履歴を特定し、該特定したサービス履歴の出力を許可する工程と、出力手段を介して前記出力が許可したサービス履歴を出力する工程とを有することを特徴とするサービス提供方法を提供する。
【手続補正１０】
【補正対象書類名】明細書
【補正対象項目名】００１８
【補正方法】変更
【補正の内容】
【００１８】
本発明は、上記第２の目的を達成するため、ユーザーにサービスを提供するサービス提供装置上で実行されるプログラムであって、前記ユーザーが利用したサービス履歴を保持し、管理する管理ステップと、前記ユーザーの識別情報と該ユーザーに対して発行されたパスワードとに基づき該ユーザーの認証を行う認証ステップと、前記認証されたユーザーが利用したサービス履歴を特定し、該特定したサービス履歴の出力を許可する許可ステップと、出力手段を介して前記出力が許可されたサービス履歴を出力する出力ステップとを有することを特徴とするプログラムを提供する。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００８７
【補正方法】変更
【補正の内容】
【００８７】
【発明の効果】
以上説明したように、本発明によれば、ユーザーの利便性を損うことなく、サービスを利用するユーザーの個人情報が他のユーザーに漏れることを未然に防止することができるとともに、ユーザーによるサービスの利用頻度を高めることができる。
【手続補正２９】
【補正対象書類名】明細書
【補正対象項目名】００８８
【補正方法】変更
【補正の内容】
【００８８】
また、本発明によれば、サービス履歴からユーザーの個人情報が他のユーザーに漏れることを未然に防止することができる。